(57)【特許請求の範囲】
【請求項１】
所定量の試料液を収容可能とされ、下面が弧状に形成された容器と、
該容器を複数保持しつつ移動可能なホルダと、
不凍液が収容されるとともに、当該不凍液を冷却する冷却手段が配設された冷却槽と、
試料液の温度を検知可能な温度検知手段を移動させて前記ホルダで保持された複数の容器のうち所定のものの内部に挿通可能とされるとともに、その容器を当該温度検知手段と共に移動可能とされ、当該温度検知手段を挿通させた状態の容器を冷却槽内まで移動させ得る移動手段と、
を具備し、前記容器内の試料液を過冷却させた後、振動による氷結刺激を加えて固体と液体とが共存した状態に変換したときの温度を前記温度検知手段にて検知することにより当該試料液の凝固温度を測定して浸透圧を分析する浸透圧分析装置であって、
伝熱性に優れた金属製部材から成り前記ホルダで保持された容器の下面を支持するバットと、
当該バットを冷却することにより前記ホルダで保持された容器を冷却し得る予冷却手段と、
を具備し、前記バットは、前記ホルダで保持された容器の下面に倣った形状の凹形状を具備するとともに、当該凹形状は、当該容器の下面に沿って当接して支持しつつ前記ホルダと共に前記容器が移動するのを許容するように溝状に延びて形成されたことを特徴とする浸透圧分析装置。
【請求項２】
前記容器内に挿通されて試料液に振動を付与させる振動手段を具備し、当該振動手段が前記温度検知手段と共に前記移動手段により移動し、前記試料液内に至るよう構成されたことを特徴とする請求項１記載の浸透圧分析装置。
【発明の詳細な説明】
【技術分野】
【０００１】
本発明は、試料液を過冷却させた後、振動による氷結刺激を加えて固体と液体とが共存した状態に変換したときの温度を検知することにより当該試料液の凝固温度を測定して浸透圧を分析する浸透圧分析装置に関するものである。
【背景技術】
【０００２】
透析治療で用いられる透析液は、一般に、使用前に試料液（サンプル液）として適量採取し、その浸透圧を浸透圧分析装置にて分析してそれを指標としている。かかる従来の浸透圧分析装置は、採取した透析液を試料液として収容した容器に挿通可能なサーミスタ及び振動針と、不凍液が収容された冷却槽と、サーミスタおよび振動針を容器内の試料液に浸した状態のまま冷却液内に移動させる移動手段とを具備していた。
【０００３】
具体的には、試料液を過冷却（凝固温度を超えて更に冷却させても凍結しない状態）させた後、振動針による振動で氷結刺激を加えて固体と液体とが共存した状態（固液共存状態）に変換し、そのときの温度をサーミスタ等の温度検知手段にて検知することにより当該試料液の凝固温度を測定するよう構成されていた。
【０００４】
然るに、試料液の浸透圧が高いほどその凝固温度が低く、浸透圧が低いほどその凝固温度が高いことから、上記の如く凝固温度を測定することにより浸透圧を分析することができるのである。この測定された浸透圧を指標とすれば、透析液が概ね所望のものであるか否かを判別することができる。尚、かかる先行技術は、文献公知発明に係るものでないため、記載すべき先行技術文献情報はない。
【発明の開示】
【発明が解決しようとする課題】
【０００５】
しかしながら、上記従来の浸透圧分析装置においては、容器を冷却槽内に移動させて冷却させ、試料液を過冷却状態とするまでに比較的長時間を必要としてしまうという問題があった。然るに、複数の容器を保持させ得るホルダを具備させて当該容器のそれぞれに試料液を収容させるとともに、順次、測定すべき容器を冷却槽内に移動させて試料液の凝固温度の測定及び浸透圧の分析を自動的に行わせる浸透圧分析装置が提案されているが、本出願人は、ホルダで保持された複数の容器のうち測定・分析を待っているものの待機時間を利用できないか検討するに至った。
【０００６】
本発明は、このような事情に鑑みてなされたもので、ホルダで保持された複数の容器のうち測定・分析を待っているものの待機時間を利用することにより、試料液を過冷却状態とするまでの時間を短縮させることができる浸透圧分析装置を提供することにある。
【課題を解決するための手段】
【０００７】
請求項１記載の発明は、所定量の試料液を収容可能とされ、下面が弧状に形成された容器と、該容器を複数保持しつつ移動可能なホルダと、不凍液が収容されるとともに、当該不凍液を冷却する冷却手段が配設された冷却槽と、試料液の温度を検知可能な温度検知手段を移動させて前記ホルダで保持された複数の容器のうち所定のものの内部に挿通可能とされるとともに、その容器を当該温度検知手段と共に移動可能とされ、当該温度検知手段を挿通させた状態の容器を冷却槽内まで移動させ得る移動手段とを具備し、前記容器内の試料液を過冷却させた後、振動による氷結刺激を加えて固体と液体とが共存した状態に変換したときの温度を前記温度検知手段にて検知することにより当該試料液の凝固温度を測定して浸透圧を分析する浸透圧分析装置であって、伝熱性に優れた金属製部材から成り前記ホルダで保持された容器の下面を支持するバットと、当該バットを冷却することにより前記ホルダで保持された容器を冷却し得る予冷却手段とを具備し、前記バットは、前記ホルダで保持された容器の下面に倣った形状の凹形状を具備するとともに、当該凹形状は、当該容器の下面に沿って当接して支持しつつ前記ホルダと共に前記容器が移動するのを許容するように溝状に延びて形成されたことを特徴とする。
【００１０】
請求項２記載の発明は、請求項１記載の浸透圧分析装置において、前記容器内に挿通されて試料液に振動を付与させる振動手段を具備し、当該振動手段が前記温度検知手段と共に前記移動手段により移動し、前記試料液内に至るよう構成されたことを特徴とする。
【発明の効果】
【００１１】
請求項１の発明によれば、ホルダで保持された容器を冷却するための予冷却手段を具備したので、当該ホルダで保持された複数の容器のうち測定・分析を待っているものの待機時間を利用することにより、試料液を過冷却状態とするまでの時間を短縮させることができる。
【００１２】
また、伝熱性に優れた金属製部材から成りホルダで保持された容器の下面を支持するバットを具備するとともに、予冷却手段は当該バットを冷却することにより容器を冷却し得るよう構成されたので、効率よく且つ簡易な構成で待機中の容器を予め冷却させることができる。
【００１３】
さらに、バットは、ホルダで保持された容器の下面に倣った形状の凹形状を具備し、当該凹形状に当該ホルダの下面が支持されたので、より効率よく待機中の容器を冷却することができる。
【００１４】
請求項２の発明によれば、容器内に挿通されて試料液に振動を付与させる振動手段を具備し、当該振動手段が温度検知手段と共に移動手段により移動し、試料液内に至るよう構成されたので、移動手段によって振動手段と温度検知手段とを同時に試料液中に浸すことができる。
【発明を実施するための最良の形態】
【００１５】
以下、本発明の実施形態について図面を参照しながら具体的に説明する。
本実施形態に係る浸透圧分析装置は、試料液を過冷却させた後、振動による氷結刺激を加えて固体と液体とが共存した状態に変換したときの温度を検知することにより当該試料液の凝固温度を測定して浸透圧を分析するものであり、試料液として透析液が用いられる。即ち、透析液の浸透圧を分析し、その測定値を指標とすることにより、透析治療で用いようとする透析液が概ね所望のものであるか否かを判別可能とするのである。
【００１６】
本浸透圧分析装置は、図１〜５に示すように、タッチキー付画面１８及び操作手段１９等が形成された本体１と、６つの容器２及び１つの払拭用容器１１を保持したホルダ３と、冷却槽７と、移動手段４とから主に構成されたものである。本体１は、本浸透圧分析装置の筐体を成すものであり、上面にホルダ３を収容したバット１０が形成されるとともに、正面にタッチキー付画面１８及び操作手段１９が形成されている。
【００１７】
容器２は、内部に所定量の試料液（本実施形態においては透析液）を収容可能なもので、上方が開口しつつ底面が弧状に形成された透明部材から成る。かかる容器２は、必ずしも透明部材である必要はないが、伝熱性の良好な材料から成るものが好ましい。この容器２にそれぞれ異なった試料液（透析装置の異なった部位の透析液）を収容させ、ホルダ３の保持孔３ａ（図３参照）にそれぞれ挿通させて保持させ得るようになっている。かかるホルダ３は、保持孔３ａに加えて保持孔３ｂが形成されており、容器２を６つの保持孔３ａに保持させつつ払拭用容器１１を１つの保持孔３ｂに保持させ、これらを直列状に保持可能とされたものである。
【００１８】
一方、本体１には、図３に示すように、モータＭと、該モータＭで駆動するプーリＰ２と、該プーリＰ２との間でベルト１２を懸架可能なプーリＰ１とが形成されており、ベルト１２には連動部材１３を介してホルダ３が連結されている。そして、モータＭを駆動させてベルト１２を回動させれば、ホルダ３が当該ベルト１２に沿ってバット１０内を直線状に移動するようになっている。而して、ホルダ３を所望位置まで移動させれば、保持した何れかの容器２又は払拭用容器１１を所定位置（サーミスタ５及び振動針６の下方の位置である測定位置）とすることができる。尚、同図中符号Ｓ１、２は、当該位置決め用のセンサを示している。
【００１９】
冷却槽７は、内部に収容空間を有した断熱材等から成るもので、図２に示すように、不凍液が収容されるとともに、当該不凍液を冷却する冷却手段８が配設されて成るものである。冷却手段８は、冷却用サーモモジュールから成り、例えば表面が冷却槽７内部に臨ませたペルチェ素子８ａ（電流を流すことにより表面側が冷却され、その分裏面側が加温される素子）とされ、その裏面側に放熱のためのフィン８ｂが形成されたものである。尚、ペルチェ素子８ａに代えて冷却槽７内の不凍液を冷却させ得る汎用の冷却手段とすることができる。
【００２０】
また、冷却槽７の上面から内部には、図２に示すように、案内部材９が挿通して配設されている。この案内部材９は、上方が開口しつつ内部に容器２及び払拭用容器１１を収容可能な空間が形成されており、図４に示すように、当該容器２及び払拭用容器１１の底面を支持する支持部１４と、該支持部１４を図中上方へ付勢するスプリング１５とから主に構成されている。尚、案内部材９の冷却槽７内部に位置する側面には、切欠き９ａが形成されて冷却槽７内部と案内部材９内部とが連通しており、当該冷却槽７内の不凍液が案内部材９内部にも満たされた状態となっている。
【００２１】
移動手段４は、本体１上面から上方に延びた作動ロッド４ｂと、該作動ロッド４ｂと共に動作する従動ロッド４ａとを有して構成されたものであり、試料液の温度を検知可能なサーミスタ５（温度検知手段）及び試料液に振動を付与させる振動針６（振動手段）を移動させてホルダ３で保持された複数の容器２のうち所定のもの（測定位置に位置決めされたもの）の内部に挿通可能とされるとともに、当該サーミスタ５と共に容器２を下方へ移動可能とされ、当該サーミスタ５を挿通させた状態の容器２（払拭用容器１１も同様）を冷却槽７内まで移動させ得るものである。然るに、作動ロッド４ｂが伸長（本体１上面から移動手段４が遠ざかる方向への移動）又は収縮（本体１上面に移動手段４が近づく方向）して従動ロッド４ａが上下に移動することにより、サーミスタ５及び振動針６が上下に移動し得るようになっている。
【００２２】
而して、容器２（又は払拭用容器１１）が案内部材９の上方の位置（即ち、サーミスタ５及び振動針６の下方の位置であって測定位置）に位置決めされ、その底面が支持部１４にて支持された状態において、作動ロッド４ｂを収縮してサーミスタ５及び振動針６を下方へ移動させれば、図５に示すように、当該サーミスタ５及び振動針６が容器２（又は払拭用容器１１）内に挿通し得るようになっている。この状態で、同図に示すように、サーミスタ５及び振動針６の先端側が容器２（又は払拭用容器１１）内の試料液に漬されるとともに、従動ロッド４ａの端面（サーミスタ５及び振動針６が取り付けられる基端面）が容器２（又は払拭用容器１１）の開口縁部に当接するようになっている。
【００２３】
従って、作動ロッド４ｂを更に収縮させて従動ロッド４ａを下降させれば、サーミスタ５及び振動針６と共に測定位置にある容器２（又は払拭用容器１１）を下方へ移動することができ、当該サーミスタ５及び振動針６を挿通させた状態の容器２（又は払拭用容器１１）を冷却槽７内まで移動させることができるのである。より具体的には、従動ロッド４ａで押圧された容器２（又は払拭用容器１１）は、支持部１４で支持されつつスプリング１５の付勢力に抗して下降し、案内部材９内部に至るので、冷却手段８で冷却された不凍液に浸されることとなる。
【００２４】
上記の如く不凍液に容器２が浸されることにより、内部に収容された試料液が急速に冷却される。こうして、容器２内の試料液を過冷却させた後、振動針６を駆動させて振動させ、その振動により氷結刺激を加えて固体と液体とが共存した状態（固液共存状態）に変換させる。このときの温度をサーミスタ５にて検知することにより当該試料液の凝固温度を測定することができ、この凝固温度に基づき浸透圧を分析することができる。これにより、容器２内の試料液における浸透圧を分析することができるので、その値を指標とすれば、透析液が概ね所望のものであるか否かを判別することができる。
【００２５】
即ち、移動手段４により容器２内にサーミスタ５及び振動針６が挿通され、その状態を維持しつつ更に容器２が移動手段４により下降して案内部材９内に至れば、冷却槽７の不凍液に浸されることとなり、内部の試料液が急速に冷却されるとともに、過冷却させた後に振動針６にて振動を加えて固液共存状態となった温度をサーミスタ５にて検知すれば、当該試料液の凝固温度（即ち、浸透圧）を測定することができるのである。
【００２６】
測定後は、作動ロッド４ｂを伸長させて従動ロッド４ａを上昇させれば、スプリング１５の付勢力により容器２及び支持部１４も追随して上昇し、当該支持部１４が初期位置になった時点で容器２は停止する一方、そこから更に作動ロッド４ｂを伸長させて従動ロッド４ａを上昇させれば、サーミスタ５及び振動針６が容器２から上方へ離間され、初期位置に戻ることとなる。これにより一つの試料液に対する測定動作が終了する。
【００２７】
尚、本浸透圧分析装置においては、図１４に示すように、温度検知手段としてのサーミスタ５及び振動手段としての振動針６を払拭するための払拭手段１６を具備するとともに、既述のように、当該払拭手段１６を収容した払拭用容器１１をホルダ３の保持孔３ｂ（図３参照）にて保持させている。払拭手段１６は、払拭用容器１１内の底面に収容されたスポンジから成るものであり、移動手段４によって移動されるサーミスタ５及び振動針６を当該払拭用容器１１内に挿通させつつ、その先端側に付着した試料液等をスポンジの吸収作用により払拭可能とされている。
【００２８】
ここで、本実施形態においては、伝熱性に優れた金属製部材から成りホルダ３で保持された容器２の下面を支持するバット１０の下面に予冷却手段１７が取り付けられている。かかる予冷却手段１７は、バット１０を冷却することによりホルダ３で保持された容器２を冷却し得るよう構成されたもので、例えば冷却槽７に配設された冷却手段８と同様、冷却用サーモモジュールから成る。
【００２９】
より具体的には、予冷却手段１７としての冷却用サーモモジュールは、例えば表面がバット１０の底面に密着固定されたペルチェ素子（電流を流すことにより表面側が冷却され、その分裏面側が加温される素子）から成るものであり、その裏面側に放熱のためのフィン（不図示）を形成してもよい。尚、ペルチェ素子に代えてバット１０を介して容器２を冷却し得る汎用の予冷却手段としてもよく、或いは冷却手段８と連結させて当該冷却手段８により冷却槽７と共にバット１０も冷却させ得るよう構成してもよい。
【００３０】
本実施形態に係るバット１０は、図６〜９に示すように、ホルダ３で保持された容器２の下面に倣った形状（本実施形態においては図９に示すように円弧形状）の凹形状１０ａを具備し、当該凹形状１０ａに当該容器２の下面が支持されている。より具体的には、この凹形状１０ａは、バット１０の略中央で長手方向に延びて形成された溝状のもので、容器２の下面に沿って当接して支持しつつホルダ３と共に当該容器２（払拭用容器１１も同様）が移動するのを許容できるようになっている。尚、同図中符号１０ｂは、冷却槽７に臨ませた貫通孔を示している。
【００３１】
更に、本実施形態においては、ホルダ３が複数（６つ）の容器２及び（１つの）払拭用容器１１を直線状に保持可能とされ、測定すべき試料液を収容した容器２（６つの容器２のうち何れか１つ）と払拭用容器１１とを交互にサーミスタ５及び振動針６の下方の位置まで移動可能とされている。具体的には、初期状態においてサーミスタ５及び振動針６の下方の位置には、払拭用容器１１が位置している（図１０参照）とともに、本体１の操作手段１９を操作して測定を開始させると、まず、モータＭが正転駆動してホルダ３を図中左側へ移動させ、当該払拭用容器１１に最も近い位置の容器２をサーミスタ５及び振動針６の下方の位置（測定位置）まで移動させる。
【００３２】
そして、移動手段４によりサーミスタ５及び振動針６を下降させれば、当該サーミスタ５及び振動針６が容器２内に挿通されてその先端側が内部の試料液に浸されるとともに、その挿通状態のまま当該容器２が下降して案内部材９内に至り、冷却槽７の不凍液に浸されて冷却されることとなる（図１１参照）。こうして、当該容器２内の試料液の浸透圧が分析された後、移動手段４によりサーミスタ５及び振動針６が上昇する。
【００３３】
その後、モータＭが逆転駆動してホルダ３を図中右側へ移動させ初期状態まで戻す（図１０参照）とともに、移動手段４によりサーミスタ５及び振動針６を下降して払拭用容器１１内に挿通させることにより、その先端側を内部の払拭手段１６に至らせる。このとき、当該先端側に付着した試料液がスポンジから成る払拭手段１６にて払拭されることとなる（図１２参照）。かかる払拭動作後、移動手段４によりサーミスタ５及び振動針６が上昇するとともに、モータＭが正転駆動してホルダ３を再び図中左側へ移動させ、今度は払拭用容器１１に最も近い位置から２つ目の容器２をサーミスタ５及び振動針６の下方の位置まで移動させる（図１３参照）。
【００３４】
以下、払拭手段１６による払拭動作を介在させつつ順次容器２内の試料液に対する浸透圧分析を行わせることとなる。このように、試料液を収容した容器２と、払拭手段１６を収容した払拭用容器１１とを交互にサーミスタ５及び振動針６の下方の位置に移動させ、凝固温度の測定動作と払拭動作とを交互に行わせることにより、前の測定時にサーミスタ５及び振動針６に付着した試料液が次の測定時まで残存してしまい測定精度に悪影響を及ぼしてしまうのを抑制することができる。
【００３５】
ここで、本実施形態においては、上記の如く、順次容器２内の試料液に対する測定及び浸透圧分析を行わせる過程において、予冷却手段１７によりバット１０を介して容器２が予め冷却されているため、待機中の容器２内部の試料液が所定温度まで冷却されることとなり、冷却槽７内に挿通されて過冷却状態されるまでの時間を短縮させることができるよう構成されている。
【００３６】
従って、上記実施形態によれば、ホルダ３で保持された容器２を冷却するための予冷却手段１７を具備したので、当該ホルダ３で保持された複数の容器２のうち測定・分析を待っているものの待機時間を利用することにより、試料液を過冷却状態とするまでの時間を短縮させることができる。また、伝熱性に優れた金属製部材から成りホルダ３で保持された容器２の下面を支持するバット１０を具備するとともに、予冷却手段１７は当該バット１０を冷却することにより容器２を冷却し得るよう構成されたので、効率よく且つ簡易な構成で待機中の容器２を予め冷却させることができる。
【００３７】
更に、バット１０は、ホルダ３で保持された容器２の下面に倣った形状の凹形状１０ａを具備し、当該凹形状１０ａに当該容器２の下面が支持されたので、容器２底面のバット１０との密着部位を増大させることができ、より効率よく待機中の容器２を冷却することができる。尚、予冷却手段は、バット１０を冷却して間接的に容器２を冷却させるものに限らず、ホルダ３で保持された容器２に向かって冷気を流し、待機状態の容器２を直接冷却させるよう構成してもよい。
【００３８】
また更に、容器２内に挿通されて試料液に振動を付与させる振動針６（振動手段）を具備し、当該振動針６がサーミスタ５（温度検知手段）と共に移動手段４により移動し、試料液内に至るよう構成されたので、移動手段４によって振動針６とサーミスタ５とを同時に試料液中に浸すことができる。尚、振動針６を従動ロッド４ａに具備させず、過冷却した試料液に対して振動などの氷結刺激を加えることができる他の形態の氷結刺激付与手段としてもよい。
【００３９】
尚、本実施形態によれば、払拭手段１６を収容した払拭用容器１１をホルダ３にて保持させ、移動手段４によって移動されるサーミスタ５及び振動針６を当該払拭用容器１１内に挿通させつつ払拭手段１６にて払拭可能とされたので、作業者による払拭作業を不要として作業性を向上させることができるとともに、払拭のための別個の駆動機構を不要として製造コストを抑制しつつ装置構成を簡素化することができる。
【００４０】
即ち、本実施形態によれば、サーミスタ５及び振動針６を上下移動させる移動手段４と、ホルダ３を左右に移動（スライド）させるモータＭとの協働動作により容器２を冷却槽７内に移動せしめて浸透圧分析動作を行わせ得るととともに、同様の協働動作により払拭手段１６での払拭動作を行わせることができるので、払拭のための別個の駆動機構等が不要とされるのである。尚、移動手段４或いはモータＭに代え、サーミスタ５及び振動針６を上下動させホルダ３をスライドさせ得るものであれば、それぞれ他の駆動機構としてもよい。
【００４１】
以上、本実施形態について説明したが、本発明はこれに限定されるものではなく、例えば払拭手段１６を収容した払拭用容器１１をホルダ３で保持しない（測定の過程で払拭動作を行わない）浸透圧分析装置に適用することができる。即ち、本実施形態においては、ホルダ３は、複数の容器２及び払拭用容器１１を保持可能とされ、測定すべき試料液を収容した容器２又は払拭用容器１１を交互にサーミスタ５（温度検知手段）の下方の位置まで移動可能とされているが、複数の容器２のみをホルダ３にて保持させ、払拭動作なしで順次、凝固温度の測定及び浸透圧の分析動作を行わせるようにしてもよい。
【００４２】
また、本実施形態においては、ホルダ３は複数の容器２及び払拭用容器１１を保持しつつ直線状にスライドするものとされているが、例えば円環状に形成されて周方向に移動するものであってもよい。勿論、ホルダ３は複数の容器２を保持するものであれば足り、６つ以外の個数の容器２を保持するものであってもよい。また、本実施形態においては、試料液として透析液が適用されているが、他の試料液を用いてその浸透圧を分析するものであってもよい。更に、サーミスタ５に代えて、移動手段で移動されて容器内に挿通され、試料液の温度を検知可能な他の温度検知手段としてもよい。
【産業上の利用可能性】
【００４３】
伝熱性に優れた金属製部材から成り前記ホルダで保持された容器の下面を支持するバットと、当該バットを冷却することによりホルダで保持された容器を冷却し得る予冷却手段とを具備し、バットは、ホルダで保持された容器の下面に倣った形状の凹形状を具備するとともに、当該凹形状は、当該容器の下面に沿って当接して支持しつつホルダと共に容器が移動するのを許容するように溝状に延びて形成された浸透圧分析装置であれば、他の形態及び用途のものにも適用することができる。
【図面の簡単な説明】
【００４４】
【図１】本発明の実施形態に係る浸透圧分析装置を示す外観模式図
【図２】同浸透圧分析装置における容器、払拭用容器を保持したホルダと冷却槽との位置関係を示す模式図
【図３】同浸透圧分析装置におけるホルダの駆動機構を示す模式図
【図４】同浸透圧分析装置における容器（払拭用容器）と案内部材９との位置関係を示す模式図
【図５】図４の状態から容器が下降して案内部材９内に収容された状態を示す模式図
【図６】同浸透圧分析装置におけるバットを示す上面図
【図７】図６におけるＶＩＩ−ＶＩＩ線断面図
【図８】図６におけるＶＩＩＩ−ＶＩＩＩ線断面図
【図９】図６におけるＩＸ−ＩＸ線断面図
【図１０】同浸透圧分析装置におけるホルダが初期状態とされ、サーミスタが初期位置とされた状態を示す模式図
【図１１】同浸透圧分析装置におけるホルダが移動して、１番目の容器内にサーミスタを挿通させつつ当該容器を冷却槽内に移動させた状態を示す模式図
【図１２】同浸透圧分析装置におけるホルダが移動して、払拭用容器内にサーミスタを挿通させつつ当該容器を冷却槽内に移動させた状態を示す模式図
【図１３】同浸透圧分析装置におけるホルダが移動して、２番目の容器内にサーミスタを挿通させつつ当該容器を冷却槽内に移動させた状態を示す模式図
【図１４】同浸透圧分析装置における払拭用容器内に収容された払拭手段を示す模式図
【符号の説明】
【００４５】
１    本体
２    容器
３    ホルダ
４    移動手段
５    サーミスタ（温度検知手段）
６    振動針（振動手段）
７    冷却槽
８    冷却手段
９    案内部材
１０  バット
１０ａ  凹形状
１１  払拭用容器
１２  ベルト
１３  連動部材
１４  支持部
１５  スプリング
１６  払拭手段
１７  予冷却手段
１８  タッチキー付画面
１９  操作手段
【図１】
0005179937.tif 000002
【図２】
0005179937.tif 000003
【図３】
0005179937.tif 000004
【図４】
0005179937.tif 000005
【図５】
0005179937.tif 000006
【図６】
0005179937.tif 000007
【図７】
0005179937.tif 000008
【図８】
0005179937.tif 000009
【図９】
0005179937.tif 000010
【図１０】
0005179937.tif 000011
【図１１】
0005179937.tif 000012
【図１２】
0005179937.tif 000013
【図１３】
0005179937.tif 000014
【図１４】
0005179937.tif 000015